【事件の表示】
　特許第２９２８７８０号「電気集塵装置」の請求項１ないし９に係る特許に対する特許異議の申立てについて、次のとおり決定する。
【結　論】
　訂正を認める。
　特許第２９２８７８０号の請求項１ないし６に係る特許を維持する。
【理　由】
 （１）手続の経緯
　特許２９２８７８０号の請求項１〜９に係る発明は、平成１０年８月２１日に特許出願（優先日１９９７年８月２１日、韓国）され、平成１１年５月１４日に特許の設定登録がなされ、その後、特許異議の申立てがなされ、取消理由通知がなされ、その指定期間内である平成１２年９月１日に訂正請求がなされたものである。
（２）訂正の適否についての判断
ア.訂正の内容
訂正事項ａ.
　もとの請求項２，７，９を削除し、特許請求の範囲を、次のとおり訂正する。
「【請求項１】接地電極と放電電極を有する電離部と、捕集電極板と加速電極板を有する捕集部とを備える電気集塵装置であって、光触媒を活性化可能な大きさ以上の光エネルギーが放出されるように前記電離部には所定の直流＋パルス電圧が印加され、前記電離部から放出される光エネルギーが到達可能な所定の位置に光触媒を含む光触媒フィルタが設けられ、前記光触媒が前記電離部からの光エネルギーによって活性化されることを特徴とする電気集塵装置。
【請求項２】前記光触媒フィルタは、その表面に光触媒がコーティングされた金属製網を含むことを特徴する請求項１記載の電気集塵装置。
【請求項３】前記光触媒フィルタは前記電離部と前記捕集部との間に設けられることを特徴とする請求項１記載の電気集塵装置。
【請求項４】前記光触媒フィルタは前記捕集部の後方に設けられることを特徴とする請求項１記載の電気集塵装置。
【請求項５】接地電極と放電電極を有する電離部と、捕集電極板と加速電極板２を有する捕集部とを備える電気集塵装置であって、光触媒を活性化可能な大きさ以上の光エネルギーが放出されるように前記電離部には所定の直流＋パルス電圧が印加され、前記光エネルギーが到達可能な所定の位置に設けられた前記電気集塵装置の構成部品に光触媒が包含され、前記光触媒が前記電離部からの光エネルギーによって活性化されることを特徴とする電気集塵装置。
【請求項６】前記光触媒が加速電極板に包含されることを特徴とする請求項５記載の電気集塵装置。」
訂正事項ｂ．
　明細書の段落番号【００１４】の記載を、次のとおり訂正する。
「【課題を解決するための手段】上記目的を達成するために、本発明は、接地電極と放電電極を有する電離部と、捕集電極板と加速電極板を有する捕集部とを備える電気集塵装置であって、光触媒を活性化可能な大きさ以上の光エネルギーが放出されるように前記電離部には所定の直流＋パルス電圧が印加され、前記電離部から放出される光エネルギーが到達可能な所定の位置に光触媒を含む光触媒フィルタが設けられ、前記光触媒が前記電離部からの光エネルギーによって活性化されることを特徴とする電気集塵装置を提供する。」
訂正事項ｃ．
　明細書の段落番号【００１５】の記載を、次のとおり訂正する。
「また、本発明は、接地電極と放電電極を有する電離部と、捕集電極板と加速電極板を有する捕集部とを備える電気集塵装置であって、光触媒を活性化可能な大きさ以上の光エネルギーが放出されるように前記電離部には所定の直流＋パルス電圧が印加され、前記光エネルギーが到達可能な所定の位置に設けられた前記電気集塵装置の構成部品に光触媒が包含され、前記光触媒が前記電離部からの光エネルギーによって活性化されることを特徴とする電気集塵装置を提供する。」
訂正事項ｄ．
　明細書の段落番号【００２３】の記載を、次のとおり訂正する。
「図６、図７において、Ｘ軸は電離部１１０から放出される光エネルギーの波長、Ｙ軸は光エネルギーの波長別の頻度を示す。図６は電離部１１０へ印加される電圧が直流５．２ｋＶの場合に放出される光エネルギーの波長別の頻度を示すグラフであり、図７は電離部１１０へ印加される電圧が直流＋パルス（ＤＣbased pulse）６．５ｋＶの場合に放出される光エネルギーの波長別の頻度を示すグラフである。」 
　イ.訂正の目的の適否、新規事項の有無及び拡張・変更の存否
　上記訂正事項ａ.は、もとの請求項２，７，９を削除し、特許請求の範囲の請求項１及び請求項５に記載された「所定の電圧が印加され、」を、「所定の直流＋パルス電圧が印加され、」に限定するものであるから、特許請求の範囲の減縮を目的とする訂正に該当する。また、明細書の段落【００２３】に、「図７は電離部１１０へ印加される電圧が直流＋パルス・・・」と記載されているから、新規事項の追加に該当せず、実質的に特許請求の範囲を拡張又は変更するものではない。
　訂正事項ｂ.〜ｃ.は上記訂正事項ａ.に伴って、発明の詳細な説明の記載を該訂正に整合させるための訂正であるから、明りょうでない記載の釈明を目的とする訂正であって、新規事項の追加に該当せず、実質的に特許請求の範囲を拡張又は変更するものでもない。
　ウ．むすび　
　以上のとおり、上記訂正は、特許法第１２０の４第２項及び第３項において準用する特許法第１２６条第２項から第４項までの規定に適合するので、当該訂正を認める。  
 （３）特許異議申立について
ア、訂正後の請求項１〜６に係る発明は、前記訂正事項ａ.に記載されるとおりである。、
イ、申立理由の概要
　申立人は、甲第１号証（特開平５−２３７３８１号公報）、甲第２号証（特開平８−２６６８５４号公報）、甲第３号証（特開平５−２３７３３７号公報）、甲第４号証（特開平９−７５６３３号公報）、甲第５号証（特開平９−１３１５４８号公報）及び甲第６号証（特開平９−１３７９５５号公報）を提出し、次のｉ）の点を主張する。
ｉ）本件請求項１〜６に係る発明は、甲第１〜６号証に記載された発明に基づいて当業者が容易に発明をすることができたものであるから、特許法第２９条第２項の規定により特許を受けることができないものである。
ウ、当審の判断
ｉ）本件請求項１〜４に係る発明について
　甲第１号証には、
「電気集じん機５は帯電部５ａと集じん部５ｂとからなり」（段落【００１０】）、
「帯電部５ａは互いに平行配置された多数の平板状の接地極板１４とそれらの間にそれぞれ前後２本ずつ配置された放電線１５とからなり、また集じん部５ｂは互いに平行配置された多数の平板状の接地極板（集塵極板）１６と高圧極板１７とからなっている。・・・帯電部５ａの接地極板１４の両面には、ＴｉＯ２・・・の混合物の層が形成されている。」（段落【００１２】）、
「帯電部５ａで有害ガスが除去されるのは、光源１９及びコロナ放電の光によりＴｉＯ２が活性化して、表面に生じる酸素種によりＮＯＸやＳＯＸを酸化してイオン化し、生じた硝酸イオンや硫酸イオンが活性炭に保持されるためである。」（段落【００１５】）
　そして、これら記載によれば、甲第１号証には、接地電極と放電電極を有する電離部と、捕集電極板と加速電極板とを備える電気集塵装置であって、光触媒を備え、該光触媒が前記電離部からの光エネルギーによって活性化される電気集塵装置が、記載されているといえる。
　本件請求項１に係る発明と甲第１号証に記載された発明とを比較すると、両者は、光触媒を備え、接地電極と放電電極を有する電離部と、捕集電極板と加速電極板とを備えた電気集塵装置である点で一致し、次の点で相違する。
相違点１：本件請求項１に記載の発明では、電離部には所定の直流＋パルス電圧が印加されるのに対し、甲第１号証に記載の発明では、電圧の種類については特定されていない点。
相違点２：本件請求項１に記載の発明では、光触媒はフィルタの形態をとっているのに対し、甲第１号証に記載の発明では、光触媒は、接地極板の両面に層状に形成されている点。
　これら相違点につき、他の甲号証を見ると、甲第２号証には、「放電部１の放電極２と対極３との間に印加する電圧種類は、交流、直流、あるいはこれらをインターバルまたはパルス状のいずれであるかを問わず、放電現象が認められればよい。」（００１６段落）との記載は、認められるものの、直流電圧とパルス電圧とを組み合わせて印加する等の前記相違点については、記載もなければ、示唆もない。
　甲第３号証には、「グロー放電、パルスグロー放電、パルスコロナ放電等の放電プラズマからの光によって光触媒を活性化させ、排ガス処理をすること」（００２４段落）が記載されているが、前記相違点について示唆するものではない。
　甲第４号証には、光触媒を含有するフィルター製品が、甲第５号証には、フィルターを備えた電気集塵装置が、甲第６号証には、光触媒層を含むフィルタからなる脱臭装置が、記載されているものの、前記した相違点について示唆する記載はない。
　そして、本件請求項１に記載の発明は、前記した相違点により直流電圧を低く抑えて、直流高電圧の不都合を避け、パルス電圧により光触媒の活性化のための大きい光エネルギーを得ることのできる等の明細書記載の効果を奏するものである。
　したがって、本件請求項１に係る発明は、甲第１〜６号証に記載された発明に基づいて当業者が容易に発明をすることができたものではない。
　また、本件請求項２〜４に係る発明は、請求項１と同様に前記した相違点を必須の構成として備えている発明であるから、請求項１と同様の理由により、甲第１〜６号証に記載された発明に基づいて当業者が容易に発明をすることができたものではない。
（ｉｉ）本件請求項５〜６に係る発明につい
　本件請求項５に係る発明と甲第１号証に記載された発明とを比較すると、両者は、電気集塵装置の構成部品に光触媒が包含され、接地電極と放電電極を有する電離部と、捕集電極板と加速電極板とを備えた電気集塵装置である点で一致し、前記相違点２の点で相違する。そして、相違点１については、前記したように、甲第１〜６号証には何ら示唆するところがないから、本件請求項５に係る発明は、甲第１〜６号証に記載された発明に基づいて当業者が容易に発明をすることができたものではない。また、本件請求項６に係る発明は、請求項５と同様に前記した相違点を必須の構成として備えている発明であるから、請求項５と同様の理由により、甲第１〜６号証に記載された発明に基づいて当業者が容易に発明をすることができたものではない。
 （４）むすび
　以上のとおりであるから、本件請求項１〜６に係る発明の特許は、特許異議申立の理由によっては、取り消すことができない。 
　また、他に本件発明の特許を取り消すべき理由を発見しない。
  よって、結論のとおり決定する。
【異議決定日】
平成１３年４月１０日（２００１．４．１０）
【訂正の要旨】
　　訂正事項ａ
　特許請求の範囲の減縮を目的として、
　特許請求の範囲を、次のとおり訂正する。
「【請求項１】接地電極と放電電極を有する電離部と、捕集電極板と加速電極板を有する捕集部とを備える電気集塵装置であって、光触媒を活性化可能な大きさ以上の光エネルギーが放出されるように前記電離部には所定の直流＋パルス電圧が印加され、前記電離部から放出される光エネルギーが到達可能な所定の位置に光触媒を含む光触媒フィルタが設けられ、前記光触媒が前記電離部からの光エネルギーによって活性化されることを特徴とする電気集塵装置。
　【請求項２】前記光触媒フィルタは、その表面に光触媒がコーティングされた金属製網を含むことを特徴する請求項１記載の電気集塵装置。
　【請求項３】前記光触媒フィルタは前記電離部と前記捕集部との間に設けられることを特徴とする請求項１記載の電気集塵装置。
　【請求項４】前記光触媒フィルタは前記捕集部の後方に設けられることを特徴とする請求項１記載の電気集塵装置。
　【請求項５】接地電極と放電電極を有する電離部と、捕集電極板と加速電極板２を有する捕集部とを備える電気集塵装置であって、光触媒を活性化可能な大きさ以上の光エネルギーが放出されるように前記電離部には所定の直流＋パルス電圧が印加され、前記光エネルギーが到達可能な所定の位置に設けられた前記電気集塵装置の構成部品に光触媒が包含され、前記光触媒が前記電離部からの光エネルギーによって活性化されることを特徴とする電気集塵装置。
　【請求項６】前記光触媒が加速電極板に包含されることを特徴とする請求項５記載の電気集塵装置。」
訂正事項ｂ．
　明細書の段落番号【００１４】の記載を、明りょうでない記載の釈明を目的として、次のとおり訂正する。
「【課題を解決するための手段】上記目的を達成するために、本発明は、接地電極と放電電極を有する電離部と、捕集電極板と加速電極板を有する捕集部とを備える電気集塵装置であって、光触媒を活性化可能な大きさ以上の光エネルギーが放出されるように前記電離部には所定の直流＋パルス電圧が印加され、前記電離部から放出される光エネルギーが到達可能な所定の位置に光触媒を含む光触媒フィルタが設けられ、前記光触媒が前記電離部からの光エネルギーによって活性化されることを特徴とする電気集塵装置を提供する。」
訂正事項ｃ．
　明細書の段落番号【００１５】の記載を、明りょうでない記載の釈明を目的として、次のとおり訂正する。
「また、本発明は、接地電極と放電電極を有する電離部と、捕集電極板と加速電極板を有する捕集部とを備える電気集塵装置であって、光触媒を活性化可能な大きさ以上の光エネルギーが放出されるように前記電離部には所定の直流＋パルス電圧が印加され、前記光エネルギーが到達可能な所定の位置に設けられた前記電気集塵装置の構成部品に光触媒が包含され、前記光触媒が前記電離部からの光エネルギーによって活性化されることを特徴とする電気集塵装置を提供する。」
訂正事項ｄ．
　明細書の段落番号【００２３】の記載を、誤記の訂正を目的として、次のとおり訂正する。「図６、図７において、Ｘ軸は電離部１１０から放出される光エネルギーの波長、Ｙ軸は光エネルギーの波長別の頻度を示す。図６は電離部１１０へ印加される電圧が直流５．２ｋＶの場合に放出される光エネルギーの波長別の頻度を示すグラフであり、図７は電離部１１０へ印加される電圧が直流＋パルス（ＤＣｂａｓｅｄ　ｐｕｌｓｅ）６．５ｋＶの場合に放出される光エネルギーの波長別の頻度を示すグラフである。」
（５４）【発明の名称】
電気集塵装置
（５７）【特許請求の範囲】
　【請求項１】　接地電極と放電電極を有する電離部と、捕集電極板と加速電極板を有する捕集部とを備える電気集塵装置であって、
　光触媒を活性化可能な大きさ以上の光エネルギーが放出されるように前記電離部には所定の
直流＋パルス電圧
　前記光触媒が前記電離部からの光エネルギーによって活性化されることを特徴とする電気集塵装置。
　【請求項２】　前記光触媒フィルタは、その表面に光触媒がコーティングされた金属製網を含むことを特徴する請求項
１
　【請求項３】　前記光触媒フィルタは前記電離部と前記捕集部との間に設けられることを特徴とする請求項
１
　【請求項４】　前記光触媒フィルタは前記捕集部の後方に設けられることを特徴とする請求項
１
　【請求項５】　接地電極と放電電極を有する電離部と、捕集電極板と加速電極板を有する捕集部とを備える電気集塵装置であって、
　光触媒を活性化可能な大きさ以上の光エネルギーが放出されるように前記電離部には所定の
直流＋パルス電圧
　前記光触媒が前記電離部からの光エネルギーによって活性化されることを特徴とする電気集塵装置。
　【請求項６】　前記光触媒が加速電極板に包含されることを特徴とする請求項
５
【発明の詳細な説明】
　【０００１】
　【発明の属する技術分野】
　本発明は電気集塵装置に関し、より詳細には光触媒技術を利用して微生物の殺菌並びに脱臭を可能にした電気集塵装置に関する。
　【０００２】
　【従来の技術】
　一般に、電気集塵機は、ガス中で浮遊する固体状や液状微粒子を電気的な方法で除去し採集する装置である。
　【０００３】
　図１は従来の電気集塵装置の断面図である。同図に基づき従来の電気集塵装置を説明する。従来の電気集塵装置は、吸入グリル１２や排出グリル１４が形成された本体１０と、本体１０の内部に配設されたプレフィルタ２０、脱臭フィルタ３０、集塵フィルタ１００、ファン１６とから構成される。
　【０００４】
　プレフィルタ２０は、吸入グリル１２の後方（下流側）に設けられ、吸入される空気中のゴミを一次的に濾す。集塵フィルタ１００は、プレフィルタ２０の後方に設けられ、電気的な方法によりゴミを除去する。脱臭フィルタ３０は、集塵フィルタ１００の後方に設けられ、空気中の臭気成分を除去する。塵フィルタ１００は電離部１１０と捕集部１３０とを含む。
　【０００５】
　以下、図２を参照して集塵フィルタ１００を詳細に説明する。
　電離部１１０は、空気中のゴミ等を電離させる。捕集部１３０は、電離部１１０で電離されたゴミを捕集する。更に詳細に説明すれば、本体１０には電離部１１０用のケース１１２が設けられ、電離部ケース１１２の両側には支持台１１４が設けられる。そして、支持台１１４には一定の間隙で多数の接地電極１１６が設けられ、接地電極１１６の間には多数の放電電極１１８が設けられる。又、本体１０には捕集部１３０用のケース１３２が設けられ、捕集部ケース１３２には一定の間隙で接地電極の役割を果たす多数の捕集電極板１３４が設けられ、捕集電極板１３４の間には多数の加速電極板１３６が設けられる。そして、捕集電極板１３４及び加速電極板１３６の上面には電極板間の間隙を一定に維持するための多数個の突起１３８が形成される。捕集電極板１３４と加速電極板１３６は導電性塗料又はアルミニウム箔等からなる導電体である。導電体に絶縁性の良好な樹脂がコーティングされるか、または樹脂が導電体に結合されてもよい。
　【０００６】
　一方、捕集部ケース１３２の外面には「−」電圧印加端子１４２と「＋」電圧印加端子１４４が設けられる。「−」電圧印加端子１４２は電離部１１０の接地電極１１６と捕集部１３０の捕集電極板１３４に接続され接地される。放電電極１１８と加速電極板１３６は「＋」電圧印加端子１４４に接続され、「＋」電圧を印加される。
　【０００７】
　次に、上記説明した従来の電気集塵装置の作用を図１、図２を参照して説明する。
　電気集塵装置に電源が供給されると、ファン１６が作動して吸入力が発生し、これにより外部の空気が吸入グリル１２を介して本体１０に流入する。流入した空気は、先にプレフィルタ２０により空気中の比較的に大きなゴミが濾され、この後、電離部１１０へ流入する。この際、電離部１１０の接地電極１１６及び放電電極１１８には電圧が印加された状態であるので、接地電極１１６と放電電極１１８との間でコロナ放電が発生し、これにより電離部１１０へ流入する空気中のゴミ粒子は電離される。電離部１１０で電離されたゴミは捕集部１３０に流れる。この際、電離されたゴミが「＋」に帯電された状態であるので、「＋」電圧の印加された加速電極板１３６に対しては反発力が、「−」電圧の印加された捕集電極板１３４に対しては引力が作用する。従って、電離されたゴミは捕集電極板１３４に向かって加速され、その捕集電極板１３４に捕集される。最後に、捕集部１３０を通過した空気は活性炭からなる脱臭フィルタ３０を通過しながら空気中の臭気成分を除去することで清浄な空気になり、この清浄な空気は排出グリル１４を介して外部に排出される。
　【０００８】
　しかし、上述した従来の電気集塵装置は、空気中に包まれる有害な微生物を除去することができなく、しかも脱臭性能が良くない。このため、人体に有害な微生物が濾されずにそのまま室内に排出されるか、又は微生物が捕集部１３０の各極板に堆積され腐敗して悪臭が発生するという問題点があった。
　【０００９】
　上記した問題点を解決するために、光エネルギーによって活性化され、殺菌および脱臭の機能を有する物質（以下、光触媒）を用いるいわゆる光触媒技術が研究開発されている。その代表的な光触媒が酸化チタン（ＴｉＯ２）である。酸化チタンのような光触媒は、有機物との吸着力に優れ、また、光エネルギーに露出されると励起されて様々な形態のラジカル（ｒａｄｉｃａｌ）を形成する。このラジカルは、強い酸化力により微生物を殺菌するとともに、悪臭を誘発する臭気物質と反応してその臭気物質を分解する。
　【００１０】
　図３を参照して詳細に説明する。
　紫外線ランプ等から放出される光エネルギーが光触媒に照射されると、原子価電子帯（ｖａｌｅｎｃｅ　ｂａｎｄ）の電子が電導帯（ｃｏｎｄｕｃｔｉｏｎ　ｂａｎｄ）に転移され、電子と正孔が生成される。この電子と正孔は非常に強い酸化力、還元力を有しているため、空気中の水蒸気（Ｈ２Ｏ）や酸素（Ｏ２）等と反応してＯＨラジカル、Ｈラジカル、Ｏ２−等の活性酸素を発生させる。さらに、この種類のラジカルは他の成分との強い結合力を有しているため、臭気物質等との結合を破壊して脱臭作用を果たす。すなわち、ＯＨラジカルは、臭気を誘発する有機物の結合を破壊し、直接に結合するため、最終的に水蒸気や二酸化炭素が残り、臭気成分は消え去る。また、ＯＨラジカルは微生物を殺菌させる強い酸化力を有しているため、殺菌作用をする。また、電子と正孔が直接に有機物と結合することもできるが、この場合も有機物の結合を破壊して有機物が他の形態のラジカルに変化し、他の形態のラジカルは又他の有機物の結合を破壊する。この結果、水蒸気や二酸化炭素が残り、脱臭作用がなされる。結局、上記のような過程を経ることにより、殺菌並びに脱臭作用がなされる。
　【００１１】
　【発明が解決しようとする課題】
　ＰＣＴ出願（ＰＣＴ／ＵＳ９６／１４２０４）には光触媒がコーティングされたフィルタと、光触媒を活性化させるＵＶランプとが開示されている。しかしながら、光触媒を用いた殺菌並びに脱臭技術は下記のような問題点があった。
　【００１２】
　（１）酸化チタン等の光触媒を励起するためには光エネルギーが必要であるため、このような光エネルギーを発生させるための別途の光エネルギー源を必要とする。つまり、光エネルギー源として紫外線ランプ等を用いるため、部品が増加し、電気集塵装置の構造が複雑となり、製造原価が上昇するという問題点があった。
　【００１３】
　（２）紫外線ランプ及び光触媒がコーティングされたフィルタ等が空気の流れに対する抵抗となるため、風力損失が生じるという問題点があった。
　本発明は上記の問題点を解決するためになされたものであり、その目的は、構造が簡単であり、製造原価が低減され、微生物が殺菌され且つ臭気物質が脱臭される電気集塵装置を提供することにある。
　【００１４】
　【課題を解決するための手段】
　上記目的を達成するために、本発明は、接地電極と放電電極を有する電離部と、捕集電極板と加速電極板を有する捕集部とを備える電気集塵装置であって、光触媒を活性化可能な大きさ以上の光エネルギーが放出されるように前記電離部には所定の
直流＋パルス電圧
　【００１５】
　また、本発明は、接地電極と放電電極を有する電離部と、捕集電極板と加速電極板を有する捕集部とを備える電気集塵装置であって、光触媒を活性化可能な大きさ以上の光エネルギーが放出されるように前記電離部には所定の
直流＋パルス電圧
　【００１６】
　ここで、前記光触媒には酸化チタン（ＴｉＯ２）が好ましく、前記光触媒が加速電極板または接地電極に包含されるものが更に好ましい。
　本発明の特徴は、別途の光エネルギー源を使用せず、電離部の放電電極から放出される光エネルギーを用いて光触媒を活性化させることにある。ゆえに、本発明によれば、紫外線ランプ等の別途の光エネルギー源を使用しなくても良いので、電気集塵装置の構造が簡単となり、製造原価が低減される。
　【００１７】
　【発明の実施の形態】
　以下、上記目的を具体的に実現できる本発明の好適な実施形態を添付図面を参照して説明する。
　【００１８】
　　（第１実施形態）
　図４ａは本発明の第１実施形態を示す概略的な断面図であり、同図に基づき本発明の電気集塵装置の一実施形態を説明する。従来と同様な構成要素については同様の名称及び符号を付し説明を省略する。
　【００１９】
　電離部１１０と捕集部１３０との間に光触媒を含む光触媒フィルタ１２０が設けられている。光触媒フィルタ１２０はアルミニウム等の金属製網と、金属製網の表面にコーティングされた光触媒とからなるものが好ましい。勿論、光触媒、アルミニウム等の金属、及び各種の機能性物質を混合して光触媒フィルタ１２０を構成しても良い。光触媒は、光エネルギーによって活性化される物質、例えばＴｉＯ２、ＣｄＳ、ＳｒＴｉＯ３等を使用可能であるが、強酸化力を有する酸化チタン（ＴｉＯ２）であって、アナタース（ａｎａｔａｓｅ）形結晶構造を有するものが好ましい。
　【００２０】
　一方、光触媒が励起するためには光触媒のバンドギャップエネルギー以上のエネルギーが必要である。このようなエネルギーを得るために、従来では紫外線ランプ等の別途の外部エネルギー源を使用していた。しかし、本発明は別途のエネルギー源を使用しないことにその特徴がある。その原理を以下に説明する。
　【００２１】
　あらゆる物質は、バンドギャップエネルギー以上のエネルギーを受けると、基底状態（ｇｒｏｕｎｄ　ｓｔａｔｅ）から励起状態（ｅｘｃｉｔｉｎｇ　ｓｔａｔｅ）になり、再び基底状態に戻る。そして、基底状態に戻る際、バンドギャップエネルギーを光エネルギーの形態で放出する。ところが、電気集塵分野における研究者らは、放電を通じて物質が基底状態から励起状態になるようにすることにのみ関心があった。なぜならば、励起状態にすること、つまり物質を電離させることが集塵効率に直接的な影響を与えるからである。従って、従来には、電離部で物質を電離させることに研究の主眼がおかれており、光触媒を活性化させるためには別途のエネルギー源を用いた。しかし、本発明では、電気集塵装置の電離部で励起された物質が再び基底状態に戻り、この際バンドギャップエネルギー程の光エネルギーを放出するという事実に着目した。その結果、別途のエネルギー源が無くても、電離部に印加される電圧の形態や大きさを適切に調節することで光触媒を活性化できるという点を確認した。
　【００２２】
　図３、図６、図７を参照して詳細に説明する。
　光触媒である酸化チタン（ＴｉＯ２）が励起されて殺菌並びに脱臭作用を果たすためには、約３５０〜４００ｎｍの波長の光エネルギー（３．２ｅＶ）を必要とする。このような光エネルギーを得るために、従来の光触媒技術では紫外線等の別途の外部エネルギー源を使用することは既に説明した。しかし、本発明では、図６、図７に示すように、電離部１１０から高電圧放電を行うことにより、約３１００〜３９００Å（３１０〜３９０ｎｍ）の波長の光エネルギーが得られた。
　【００２３】
　図６、図７において、Ｘ軸は電離部１１０から放出される光エネルギーの波長、Ｙ軸は光エネルギーの波長別の頻度を示す。図６は電離部１１０へ印加される電圧が直流５．２ｋＶの場合に放出される光エネルギーの波長別の頻度を示すグラフであり、図７は電離部１１０へ印加される電圧が直流＋パルス（ＤＣ　
ｂａｓｅｄ
　【００２４】
　空気を構成する多種の気体分子は各々励起エネルギーが異なるため、空気中で放電する時、様々な波長帯の光エネルギーが不連続的に放出される。図６、図７から明らかなように、直流５．２ｋＶに比べて低い実効値（約３．８ｋＶ）を有するパルス形態の電圧６．５ｋＶの場合、更に強い（ピークの大きい）光エネルギーを放出する。これは、実効値は小さいが、瞬間的に高いエネルギーを有するからである。
　【００２５】
　以上の実験結果からわかるように、電離部１１０に高電圧が印加されると、電離部１１０で一定の大きさ以上の光エネルギーが得られ、この際に得られる光エネルギーは光触媒を活性化可能な大きさの光エネルギーである。また、電離部１１０に印加される電圧の大きさや形態を変化させることにより、放出される光エネルギーの波長や大きさを調節することができる。特に、パルス電圧を印加することが一層効果的であることが判った。結局、本発明によれば、電離部１１０から光触媒を活性化可能な大きさの光エネルギーが照射されるため、別途の外部エネルギー源が無くても光触媒を活性化させることが可能である。
　【００２６】
　一方、酸化チタン以外の光触媒を用いる場合、該当光触媒を活性化させるのに必要なエネルギーを求め、上述した実験により該エネルギーを発生させるべく電離部１１０に印加される電圧の大きさや形態が得られる。
　【００２７】
　図８は室内の臭気の主因であるトリメチルアミン（（ＣＨ３）３Ｎ）の脱臭効率を、本発明の電気集塵装置と従来の電気集塵装置とを利用して比較したグラフである。このグラフから分かるように、本発明の脱臭効率が従来のものに比べて遥かに高いことが判る。　上述した本発明の一実施形態の効果について以下に説明する。
　【００２８】
　（１）紫外線ランプ等の別途の光エネルギー源を用いることなく光触媒を活性化可能なので、部品が減少し、構造が簡単となり、生産原価が低減するという利点がある。
　【００２９】
　（２）紫外線ランプ等を電気集塵装置の内部に設けないため、風力損失が減少する。
　（３）室内の臭気を除去する脱臭効率が向上する。
　【００３０】
　上述した実施形態では光触媒フィルタ１２０が電離部１１０と捕集部１３０との間に設けられる場合について図示・説明したが、これに限定されない。電離部１１０の放電電極１１８から放電される所定の大きさの光エネルギーが到達して光触媒を活性化させ得る位置であれば、何処でも設置可能である。例えば、図４ｂに示すように、捕集部１３０の後方（下流側）に光触媒フィルタ１２０が設けられても良い。
　【００３１】
　（第２実施形態）
　図５は本発明の第２実施形態を示す断面図であり、同図に基づき本発明の電気集塵装置の他の実施形態を説明する。
　【００３２】
　本実施形態は第１実施形態の改良であり、光触媒を活性化させる光エネルギー源を別に設けない点は第１実施形態と同様である。第２実施形態では、別途の光触媒フィルタを使用せず、従来の電気集塵装置の構成部品に光触媒を直接に「包含」させることにより、本発明の目的を達成する。勿論、構成部品とは、光触媒を活性化させる光エネルギー源が到達可能な距離に位置した部品を意味する。
　【００３３】
　図５に示すような本発明の第２実施形態によれば、捕集部１３０を構成する加速電極板１３６に光触媒を包含させることにより、加速電極板１３６に包含された光触媒が電離部１１０の放電電極１１８から放出される光エネルギーによって活性化される。ここで、「包含」とは、ある部品に光触媒を含有させるか、または表面にコーティングさせることである。すなわち、樹脂のコーティングされた加速電極板の場合には、その樹脂に光触媒を含有させるか、またはコーティングさせることが可能であり、樹脂のコーティングされない加速電極板の場合には加速電極板に直接に光触媒をコーティングすることが可能である。
　【００３４】
　上述した第２実施形態においては光触媒が捕集部１３０の加速電極板１３６に包含されるものを図示・説明したが、これに限定されない。上述したように、電離部１１０の放電電極１１８から放出される所定の大きさの光エネルギーが到達して光触媒を活性化させ得る位置であれば、光触媒を何処でも包含可能である。例えば、電離部１１０の接地電極１１６に光触媒を包含させることも可能である
　【００３５】
　上記のように構成された実施形態の作用及び効果は第１実施形態と同じであるが、以下のような追加効果を奏する。
　第２実施形態によれば、従来の電気集塵装置の部品に単に光触媒を含有させることで制作可能であるため、既存の電気集塵装置の構造的な設計変更無しにそのまま利用可能である。従って、既存の生産設備をそのまま利用することができ、電気集塵装置の設計の自由度が向上する。
　【００３６】
　【発明の効果】
　本発明によれば、別途の光エネルギー源を使用せず、電離部の放電電極から放出される光エネルギーを用いて光触媒が活性化される。従って、電気集塵装置の構造が簡単となり、製造原価を低減しつつ、微生物の殺菌及び臭気物質の脱臭を行うことができるという優れた効果を奏する。
【図面の簡単な説明】
　【図１】従来の電気集塵装置の縦断面図である。
　【図２】従来の電気集塵装置の集塵フィルタを示す斜視図である。
　【図３】光エネルギーにより光触媒が反応する原理を示す状態図である。
　【図４】ａ、ｂは、本発明の電気集塵装置の第１実施形態を示す縦断面図である。
　【図５】本発明の電気集塵装置の第２実施形態を示す縦断面図である。
　【図６】本発明の電気集塵装置の実施形態において、電離部から放出される光エネルギーの大きさを示すグラフである。
　【図７】本発明の電気集塵装置の実施形態において、電離部から放出される光エネルギーの大きさを示すグラフである。
　【図８】従来の電気集塵装置と本発明の電気集塵装置とのトリメチルアミンの脱臭効率を比較して示すグラフである。
　【符号の説明】
　１１０…電離部、１１６…接地電極、１１８…放電電極、１２０…光触媒フィルタ、１３０…捕集部、１３４…捕集電極板、１３６…加速電極板